(57)【特許請求の範囲】
【請求項１】
複数のメニューボタンを含む所定の内容を表示する表示部（１０）と、
前記表示部（１０）の前面に配置され、相対する二辺を有する板状の第１部材と、前記相対する二辺と直交する相対する二辺を有する板状の第２部材が対向するように配置され、前記第１、第２部材の対向面にはそれぞれ導電膜が配置されており、前記第１部材の相対する二辺には当該第１部材に配置された前記導電膜と電気的に接続される一対の電極が配置されていると共に、前記第２部材の相対する二辺には当該第２部材に配置された前記導電膜と電気的に接続される一対の電極が配置されており、ユーザが前記第１部材に対して押圧面が変化する面接触操作を行って前記第１、第２部材に配置された前記導電膜が面接触させられることにより所定期間毎に検出信号を出力する抵抗膜式のタッチパネル（１１）と、
前記タッチパネル（１１）から前記検出信号が出力されると、前記検出信号から少なくとも二つの二次元座標値を演算する座標値演算手段と、
前記座標値演算手段によって得られた二つの座標値を結ぶ直線の傾きを演算する傾き演算手段と、
前記傾き演算手段にて演算された傾きに基づいて前記タッチパネル（１１）に対して左右のいずれの方向から面接触操作があったのかを判定する判定手段と、を備え、
前記二つの座標値のうち、先に前記第１部材と前記第２部材とが接触した接触面の検出信号を示す座標値を第１座標値とし、前記第１座標値より後に前記第１部材と前記第２部材とが接触した接触面の検出信号を示す座標値を第２座標値とし、
前記傾き演算手段では、前記傾きを演算すると共に、前記第２座標値のｘ座標が前記第１座標値のｘ座標より大きいか否かを判定することにより前記第２座標値の方向を特定し、
前記判定手段では、前記傾きおよび前記第２座標値の方向に基づいて前記タッチパネル（１１）に対して左右のいずれの方向から面接触操作があったのかを判定することを特徴とする表示装置。
【請求項２】
前記判定手段は、ユーザの面接触操作に対応する前記メニューボタンに設定された傾きの最大閾値および最小閾値を読み出し、前記演算された傾きが前記最大閾値より小さく、かつ、前記最小閾値より大きいとき、前記タッチパネル（１１）に対して左右のいずれの方向から面接触操作があったのかを判定することを特徴とする請求項１に記載の表示装置。
【請求項３】
前記表示部（１０）は、左側から視認することのできる左側画面と右側から視認することのできる右側画面とを同時に表示可能とされており、前記左側画面中に含まれるメニューボタンと、前記右側画面中に含まれるメニューボタンとを重ねて表示することを特徴とする請求項１または２に記載の表示装置。
【発明の詳細な説明】
【技術分野】
【０００１】
本発明は、タッチパネルへの入力操作に応じた画像をユーザに提供する表示装置に関し、特に、カーナビゲーション装置に適用されると好適である。
【背景技術】
【０００２】
近年、左側から視認することのできる左側画面と右側から視認することのできる右側画面とを同一画面に同時に表示することができる、つまり視認する角度を変えることで異なる画面を視認させることができる、いわゆるデュアルビュー（登録商標）機能を有する表示部が知られている。そして、このような表示部と、この表示部上に配置されるタッチパネルとを有して構成される表示装置が知られている。また、このような表示装置を用いてカーナビゲーション装置を構成した場合には、例えば、運転手には走行案内地図を表示し、助手席者にはＤＶＤ画像を表示することができるため、利便性を向上させることができる。しかしながら、運転手用と助手席者用に異なった画像を表示している場合には、タッチパネルに対して行われたタッチ操作が、運転手に表示している画像に対して行われているのか、助手席者に表示している画像に対して行われているのかを表示装置が判定する必要がある。言い換えると、タッチ操作を行ったのが運転者なのか助手席者なのかを表示装置が判定する必要がある。
【０００３】
このため、特許文献１には、デュアルビュー機能を有する表示部を備え、運転手用のメニューボタンと、助手席者用のメニューボタンとの表示位置が重ならないように表示するものが開示されている。このような表示装置では、運転手用のメニューボタンと助手席者用のメニューボタンとを異ならせて表示することにより、タッチ操作を行ったのが運転手なのか助手席者なのかを判定することができるようになっている。
【０００４】
また、特許文献２および３には、表示部の左右に赤外線センサや位置センサ等を配置したものが開示されている。このような表示装置では、タッチパネルに対して左右のどちらの方向からタッチ操作が行われたのかを赤外線センサ等により検出することにより、タッチ操作を行ったのが運転手なのか助手席者なのかを判定することができるようになっている。
【先行技術文献】
【特許文献】
【０００５】
【特許文献１】特開２００７−２０７１４６号公報
【特許文献２】特開２００７−１７２３７３号公報
【特許文献３】特開２００８−１２０１３４号公報
【発明の概要】
【発明が解決しようとする課題】
【０００６】
しかしながら、特許文献１の表示装置では、運転手のメニューボタンと助手席者のメニューボタンとの表示位置を異ならせているため、メニューボタンの配置方法や数が制限されてしまうという問題がある。
【０００７】
さらに、特許文献２および３の表示装置では、表示装置の左右に新たに赤外線センサ等を備えなければならず、部品点数が増加すると共に、これに伴ってコストが増加するという問題がある。
【０００８】
なお、上記では、デュアルビュー機能を有する表示部を備えた表示装置をカーナビゲーション装置に適用し、デュアルビュー表示を行っている場合について説明したが、視線方向に関係なく一つの映像を表示している場合においても、タッチ操作が運転手によるものなのか助手席者によるものなのかを判定することが必要な場合がある。例えば、一般的には、車両走行中は、危険防止と利便性の両立を図るため、運転手のタッチ操作を無効としつつ、助手席者のタッチ操作を有効なものとすることが望まれている。すなわち、このような場合においても、タッチ操作が運転手によるものなのか助手席者によるものなのかを判定する必要がある。
【０００９】
本発明は上記点に鑑みて、部品点数を増加することなく、また、メニューボタンの配置や数が制限されることを抑制しつつ、タッチパネルに対して左右のいずれの方向からタッチ操作が行われたのかを判定することのできる表示装置を提供することを目的とする。
【課題を解決するための手段】
【００１０】
このような問題を解決するため、本発明者らは、周知の抵抗膜式タッチパネルを用い、タッチパネルに対して左右のいずれの方向からタッチ操作がされたのかを判定する判定手段について検討を行った。
【００１１】
ここで、抵抗膜式タッチパネルについて簡単に説明する。抵抗膜式タッチパネルは、例えば、板状の第１部材および第２部材が対向して配置されていると共に、それぞれの対向面に導電膜が配置されている。この導電膜は、第１、第２部材の各対向面の一面に備えられたものであってもよいし、第１、第２部材の各対向面にストライプ状に備えられたものであってもよい。また、第１、第２部材の各対向面にストライプ状に導電膜を配置する場合には、第１部材に配置される導電膜と第２部材に配置される導電膜とは直交するように配置されている。そして、第１部材の相対する二辺、例えば、Ｘ軸方向両端には第１部材に配置された導電膜と電気的に接続される電極が配置されていると共に、第２部材の相対する二辺、例えば、Ｙ軸方向両端には第２部材に配置された導電膜と電気的に接続される電極が配置されており、相対する二辺のうち一辺側から他辺側に向かって一定の電圧が印加されるようになっている。このような抵抗膜式タッチパネルは、例えば、メニューボタンを含む画像を表示部する表示部上に第２部材を挟んで表示部と第１部材とが対向するように配置され、ユーザが第１部材を押圧して第１、第２部材に配置された導電膜が接触させられると、接触している部分を示す検出信号を出力する。
【００１２】
例えば、第１部材に配置された導電膜に電圧を印加した状態で、第１部材に対してペン先等により局所的な点接触操作を行うと、第１部材に配置された導電膜と第２部材に配置された導電膜とが点接触して接触点に接触抵抗を生じ、タッチパネルは接触抵抗および第２部材に配置された電極を通じて接触点のＸ座標を示す検出信号を出力する。同様に、第２部材に配置された導電膜に電圧を印加した状態で、第１部材に対して局所的な点接触操作を行うと、タッチパネルは接触抵抗および第１部材に配置された電極を通じて接触点のＹ座標を示す検出信号を出力する。したがって、これら検出信号から接触点の二次元座標値が演算される。
【００１３】
また、第１部材に配置された導電膜に電圧を印加した状態で、第１部材に対して指先等により面接触操作を行うと、第１部材に配置された導電膜と第２部材に配置された導電膜とが面接触して接触面全体に接触抵抗が生じることになる。この場合、第１部材に配置された導電膜には一辺側から他辺側に向かって一定の電圧が印加されているので、第１、第２部材に配置された導電膜が複数点で同時に接触しているときと同様に、タッチパネルは複数の接触抵抗の合成抵抗および第２部材に配置された電極を通じて接触面の中心点のＸ座標を示す検出信号を出力する。同様に、第２部材に配置された導電膜に電圧を印加した状態で、第１部材に対して面接触操作を行うと、タッチパネルは複数の接触抵抗の合成抵抗および第１部材に配置された電極を通じて接触面の中心点のＹ座標を示す検出信号を出力する。ここで、接触面の中心点とは、接触面のうちＸ軸方向において最大値となる点と最小値となる点との中間点、および接触面のうちＹ軸方向において最大値となる点と最小値となる点との中間点を意味している。（なお、第１、第２部材の導電膜が複数点で同時に接触しているときに出力される検出信号が接触点の中心点の座標を示すことは、例えば、特開２００８−０７０９６３等に記載されている）
このようなタッチパネルを用いて、本発明者らは、タッチパネルに対してユーザが左側から指先にてタッチ操作する場合と、ユーザが右側から指先にてタッチ操作する場合とでは、タッチパネルの接触面の形状が異なることに着目した。図３（ａ）は、タッチパネルに対して左側からタッチ操作を行ったときの指先とタッチパネルとの接触面を示す模式図であり、図３（ｂ）は、タッチパネルに対して右側からタッチ操作を行ったときの指先とタッチパネルとの接触面を示す模式図である。
【００１４】
図３に示されるように、ユーザがタッチパネルに対して左側からタッチ操作を行うと、接触面の形状は、略楕円形状となると共に紙面右上から左下方向に傾いた形状となっている。これに対し、ユーザがタッチパネルに対して右側からタッチ操作を行うと、接触面の形状は、略楕円形状となると共に紙面左上から右下方向に傾いた形状となっている。
【００１５】
また、本発明者らは、ユーザがタッチパネルに対して指先にてタッチ操作を行うときには、所定期間（瞬間）毎に、指先とタッチパネルとの接触面の形状が変化することに着目した。図４は、タッチパネルの所定期間毎の接触面の形状を示す模式図であり、（ａ）はタッチパネルに対して左側からタッチ操作を行ったときのものであり、（ｂ）はタッチパネルに対して右側からタッチ操作を行ったときのものである。なお、以下では、ユーザが指先を先端から第１関節に向かってタッチ操作する場合を例に挙げて説明する。
【００１６】
図４に示されるように、ユーザが指先にてタッチパネルにタッチ操作するとき、所定期間毎に接触面は徐々に変化して大きくなっていく。そして、指先とタッチパネルとの接触面の形状が変化するため、第１、第２部材に配置された導電膜の接触面の形状も所定期間毎に変化することになる。具体的には、タッチパネルと指先との接触面は、最初にＡ点を中心とする接触面となり、続いてＢ点、Ｃ点、Ｄ点、Ｅ点を中心とする接触面となるため、第１、第２部材に配置された導電膜は、最初にＡ点を中心とする接触面となり、続いてＢ点、Ｃ点、Ｄ点、Ｅ点を中心とする接触面となる。このため、タッチパネルは、上記のように、第１、第２部材に配置された導電膜が面接触する場合には、接触面の中心点を示す検出信号、例えば、Ａ〜Ｅ点を示す検出信号を出力する。
【００１７】
したがって、本発明者らは、タッチパネルに対してタッチ操作があったとき、タッチパネルから出力される検出信号から少なくとも二つの座標値を演算し、これら二つの座標値を結ぶ直線の傾きを演算すれば、演算された傾きに基づいて、タッチパネルに対して右方向からタッチ操作がされたのか、左方向からタッチ操作がされたのかを判定することができることを見出した。例えば、演算した傾きが二次元座標上において、「正」である場合、図３および図４に示されるように、タッチパネルに対して左側からタッチ操作がされたものと判定することができる。
【００１８】
なお、上記では、ユーザが指先を先端から第１関節に向かってタッチ操作する場合、つまりタッチパネルと指先との接触面の中心点がＡ点からＥ点に向かうようにユーザがタッチ操作を行った場合について説明したが、ユーザのタッチ操作によっては、タッチパネルと指先との接触面の中心点がＡ点、Ｃ点、Ｅ点、Ｄ点、Ｂ点となったり、接触面の中心点がＥ点からＡ点に向かうようになったりする。この場合においても、少なくとも二つの座標値を演算し、これら二つの座標値を結ぶ直線の傾きを演算すれば、演算された傾きに基づいて、タッチパネルに対して右方向からタッチ操作がされたのか、左方向からタッチ操作がされたのかを判定することができる。
【００１９】
このため、請求項１に記載の発明では、複数のメニューボタンを含む所定の内容を表示する表示部（１０）と、表示部（１０）の前面に配置され、相対する二辺を有する板状の第１部材と、当該相対する二辺と直交する相対する二辺を有する板状の第２部材が対向するように配置され、第１、第２部材の対向面にはそれぞれ導電膜が配置されており、第１部材の相対する二辺には当該第１部材に配置された導電膜と電気的に接続される一対の電極が配置されていると共に、第２部材の相対する二辺には当該第２部材に配置された導電膜と電気的に接続される一対の電極が配置されており、ユーザが第１部材に対して押圧面が変化する面接触操作を行って第１、第２部材に配置された導電膜が面接触させられることにより所定期間毎に検出信号を出力する抵抗膜式のタッチパネル（１１）と、タッチパネル（１１）から検出信号が出力されると、当該検出信号から少なくとも二つの二次元座標値を演算する座標値演算手段と、座標値演算手段によって得られた二つの座標値を結ぶ直線の傾きを演算する傾き演算手段と、傾き演算手段にて演算された傾きに基づいてタッチパネル（１１）に対して左右のいずれの方向から面接触操作があったのかを判定する判定手段と、を備え、二つの座標値のうち、先に第１部材と第２部材とが接触した接触面の検出信号を示す座標値を第１座標値とし、第１座標値より後に第１部材と第２部材とが接触した接触面の検出信号を示す座標値を第２座標値とし、傾き演算手段では、傾きを演算すると共に、第２座標値のｘ座標が第１座標値のｘ座標より大きいか否かを判定することにより第２座標値の方向を特定し、判定手段では、傾きおよび第２座標値の方向に基づいてタッチパネル（１１）に対して左右のいずれの方向から面接触操作があったのかを判定することを特徴としている。
【００２０】
このような表示装置では、検出信号から少なくとも二つの二次元座標値を演算し、これら二つの座標値を結ぶ直線の傾きを演算し、当該傾きからタッチパネル（１１）に対して左右のいずれの方向から面接触操作があったのかを判定している。このため、新たな赤外線センサ等の部材を備えることなく、タッチパネルに対して左右のいずれの方向から面接触操作があったのかを判定することができるため、部品点数が増加することもない。
【００２１】
また、演算した傾きを用いて、タッチパネルに対して左右のいずれの方向から面接触操作があったのかを判定するため、メニューボタンの配置や数が制限されることもない。
【００２３】
さらに、請求項１に記載の発明では、第１、第２座標値を結ぶ直線の傾きに加えて、第２座標値の第１座標値に対する方向を特定し、傾きおよび方向に基づいて、タッチパネル（１１）に対して左右のいずれの方向から面接触操作があったのかを判定するようにしている。これにより、タッチパネルに対して右側からタッチ操作した場合と左側からタッチ操作した場合とで傾きがほぼ等しくなるような場合であっても、傾きおよび方向に基づいて判定を行うため、誤判定を抑制することができる。
【００２４】
また、請求項２に記載の発明のように、判定手段は、ユーザの面接触操作に対応するメニューボタンに設定された傾きの最大閾値および最小閾値を読み出し、演算された傾きが最大閾値より小さく、かつ、最小閾値より大きいとき、タッチパネル（１１）に対して左右のいずれの方向から面接触操作があったのかを判定するようにすることができる。
【００２５】
このような表示装置では、演算された傾きが、メニューボタンに設定された傾きの最大閾値より小さく、最小閾値より大きいとき、タッチパネル（１１）に対して左右のいずれの方向から面接触操作があったのかを判定するようにしている。すなわち、演算された傾きが最大閾値より大きい場合や最小閾値より小さい場合には、タッチパネル（１１）に対して左右のいずれの方向から面接触操作があったのかを判定しないため、誤判定を抑制することができる。
【００２６】
さらに、請求項３に記載の発明のように、表示部（１０）を、左側から視認することのできる左側画面と右側から視認することのできる右側画面とを同時に表示可能とし、左側画面中に含まれるメニューボタンと右側画面中に含まれるメニューボタンとを重ねて表示させるようにすることができる。
【００２７】
なお、この欄および特許請求の範囲で記載した各手段の括弧内の符号は、後述する実施形態に記載の具体的手段との対応関係を示すものである。
【図面の簡単な説明】
【００２８】
【図１】本発明の第１実施形態におけるカーナビゲーション装置のブロック図である。
【図２】（ａ）は左側画面で表示される表示画面を示す図であり、（ｂ）は右側画面で表示される表示画面を示す図である。
【図３】（ａ）はタッチパネルに対して左側からタッチ操作を行ったときの指先とタッチパネルとの接触面を示す模式図であり、（ｂ）はタッチパネルに対して右側からタッチ操作を行ったときの指先とタッチパネルとの接触面を示す模式図である。
【図４】（ａ）はタッチパネルに対して左側からタッチ操作を行ったときの所定期間毎の接触面の形状を示す模式図であり、（ｂ）はタッチパネルに対して右側からタッチ操作を行ったときの所定期間毎の接触面の形状を示す模式図である。
【図５】制御部の処理を示すフローチャートである。
【発明を実施するための形態】
【００２９】
（第１実施形態）
本発明の第１実施形態について説明する。図１は、本発明の表示装置をカーナビゲーション装置に適用したときのブロック図であり、この図に基づいて説明する。なお、本実施形態のカーナビゲーション装置は、例えば、車両前方のインストルメントパネルの運転席と助手席との中間部分に配置されるインダッシュタイプのものとして構成されている。
【００３０】
図１に示されるように、本実施形態のカーナビゲーション装置は、表示部１０、タッチパネル１１、タッチ入力制御部１２、表示制御部１３、ＧＰＳレシーバ１４、ハードディスク装置（以下、単にＨＤＤという）１５、マルチディスクドライブ１６、テレビチューナ１７、キー入力部１８、音声処理部１９、制御部２０を有した構成とされている。
【００３１】
表示部１０は、表示制御部１３から与えられる映像信号に応じた映像を表示する。本実施形態では、視線方向に関係なく一つの映像を表示する同一映像表示と、左側から視認することのできる左側画面と右側から視認することのできる右側画面とを同一画面に同時に表示するデュアルビュー表示と、を切り替えて表示することができるようになっている。
【００３２】
また、表示部１０は、複数のメニューボタンを表示するようになっており、デュアルビュー表示をしている場合には、左側画面のメニューボタンと右側画面のメニューボタンとを同じ場所に表示するようになっている。図２（ａ）に左側画面の表示画面を示し、図２（ｂ）に右側画面の表示画面を示す。図２に示されるように、例えば、タッチパネル１１に対して左側に助手席者手、右側に運転手が存在するとし、左側画面にＤＶＤ画像を表示し、右側画面に走行案内地図を表示していたとすると、表示部１０は、ＤＶＤ画像に関するメニューボタン１０ａ〜１０ｅと、走行案内地図に関するメニューボタン１０ｆ〜１０ｊとをそれぞれ重ねて表示するようになっている。例えば、左側画面の左下に表示される、例えば、早送りメニューボタン１０ｄと、右側画面の左下に表示される、例えば、拡大表示メニューボタン１０ｉとを重ねて表示する。以下では、タッチパネル１１に対して、左側に助手席者、右側に運転手が存在するものとして説明する。
【００３３】
タッチパネル１１は、表示部１０の前面に配置される周知の抵抗膜式のものであり、ユーザが面接触操作、例えば、指先にてタッチ操作を行うと、そのタッチ操作に対応した検出信号を所定期間毎に出力する。
【００３４】
このタッチパネル１１は、板状のフィルムとガラス基板とが対向するように配置されていると共に、各対向面の全面に導電膜が配置されている。そして、フィルムの相対する二辺、例えば、Ｘ軸方向両端にフィルムに配置された導電膜と電気的に接続される電極が配置されていると共に、ガラス基板の相対する二辺、例えば、Ｙ軸方向両端にガラス基板に配置された導電膜と電気的に接続される電極が配置されており、相対する二辺のうち一辺側から他辺側に向かって一定の電圧が印加されるようになっている。そして、表示部１０の前面にガラス基板を挟んで表示部１０とフィルムとが対向するように配置され、ユーザがフィルムをタッチ操作して、フィルムおよびガラス基板に配置されたそれぞれの導電膜が接触させられると、接触している部分を示す検出信号を所定期間毎に出力する。
【００３５】
図３（ａ）は、タッチパネル１１に対して助手席者がタッチ操作を行ったときの指先とタッチパネル１１との接触面を示す模式図であり、図３（ｂ）は、タッチパネル１１に対して運転手がタッチ操作を行ったときの指先とタッチパネル１１との接触面を示す模式図である。図４は、タッチパネル１１の所定期間毎の接触面の形状を示す模式図であり、（ａ）はタッチパネル１１に対して助手席者がタッチ操作を行ったときのものであり、（ｂ）はタッチパネル１１に対して運転手がタッチ操作を行ったときのものである。
【００３６】
詳細は上述した通りであるが、図３に示されるように、ユーザがタッチパネル１１に対して指先にてタッチ操作を行うと、運転手がタッチ操作する場合と、助手席者がタッチ操作する場合とで指先とタッチパネル１１との接触面の形状が異なる。
【００３７】
また、ユーザがタッチパネル１１に対して指先にてタッチ操作を行うと、所定期間（瞬間）毎にフィルムに配置された導電膜とガラス基板に配置された導電膜の接触面の形状は徐々に変化して大きくなっていく。具体的には、図４に示されるように、タッチパネルと指先との接触面は、最初にＡ点を中心とする接触面となり、続いてＢ点、Ｃ点、Ｄ点、Ｅ点を中心とする接触面となるため、フィルムに配値された導電膜とガラス基板に配置された導電膜は、最初にＡ点を中心とする接触面となり、その後Ｂ点、Ｃ点、Ｄ点、Ｅ点を中心とする接触面に順番になる。このため、タッチパネル１１は、接触面の中心点を示す検出信号、つまりＡ〜Ｅ点を示す検出信号を出力する。すなわち、タッチパネル１１は、同じ部分に配置されたメニューボタンに対して、助手席者がタッチ操作した場合と運転手がタッチ操作した場合とで、異なる検出信号を出力する。なお、本実施形態では、フィルムが本発明の第１部材に相当すると共にガラス基板が本発明の第２部材に相当している。
【００３８】
タッチ入力制御部１２は、タッチパネル１１から検出信号が入力されると、当該検出信号から少なくとも二つの二次元座標値を演算し、演算した座標値を制御部２０に出力する。本実施形態では、タッチパネル１１から検出信号が入力されると、検出信号の座標値をそれぞれ演算する。例えば、図４（ａ）に示されるように、助手席者がタッチ操作をした場合であって、タッチパネル１１からＡ〜Ｅ点を示す検出信号が入力された場合には、Ａ〜Ｅ点の二次元座標値をそれぞれ演算する。
【００３９】
ＧＰＳレシーバ１４は、ＧＰＳアンテナ１４ａで受信した、複数のＧＰＳ衛生からの到来電波により正確な現在位置の緯度、経度、及び高度と現在時刻とを算出し、算出結果を制御部２０へ出力する。
【００４０】
ＨＤＤ１５は、位置情報に対応した地図データを複数の縮尺に合わせて記憶する他、ユーザの設定により後述するマルチディスクドライブ１６で作成された音楽データ等も合わせて記憶し、制御部２０の制御の基にそれらの記憶内容を読出して出力する。
【００４１】
マルチディスクドライブ１６は、例えばＤＶＤ（Ｄｉｇｉｔａｌ ＶｅｒｓａｔｉｌｅＤｉｓｃ）−Ｖｉｄｅｏ、ＤＶＤ−ＲＯＭ、ＤＶＤ±Ｒ、音楽ＣＤ（ＣｏｍｐａｃｔＤｉｓｃ）、ＣＤ−ＲＯＭ、ＣＤ−Ｒ等の各種ディスクを再生することが可能であるものとし、その再生データを制御部２０へ出力する。
【００４２】
テレビチューナ１７は、テレビアンテナ１７ａで受信したテレビ放送電波からユーザの選択したチャンネルの周波数帯を選局し、そのチャンネルのテレビ放送番組を復調して制御部２０へ出力する。
【００４３】
キー入力部１８は、タッチパネル１１以外に設けられた、例えばボリュームの＋／−等の多用するキースイッチからなり、そのキー操作信号を制御部２０へ出力する。
【００４４】
音声処理部１９は、制御部２０から与えられるデジタル値の音声データをアナログ化してスピーカ１９ａを拡声駆動する一方で、マイクロホン１９ｂから入力されたアナログの音声信号をデジタル化した上で制御部２０へ出力する。
【００４５】
制御部２０は、制御演算を行うＣＰＵ、このＣＰＵの動作プログラムやパラメータ等を固定的に記憶する内部メモリ等を備えたコンピュータによって構成されており、内部メモリに記憶されたプログラムにしたがって各種処理を行う。また、本実施形態では、内部メモリには、各メニューボタン１０ａ〜１０ｊに対する設定値、例えば、メニューボタン１０ｄに対して設定値「傾きａ〜ｂ（ａ，ｂ＞０）、方向負」、メニューボタン１０ｉに対して「傾き−ｃ〜−ｄ（ｃ，ｄ＞０）、方向正」等がデフォルト値として記憶されており、各メニューボタン１０ａ〜１０ｊには少なくとも傾きの最大閾値と最小閾値とが設定されている。さらに、制御部２０は、上記ＧＰＳレシーバ１４やＨＤＤ１５以外にも、周知のジャイロスコープや距離センサ等に接続されているが、ここでは説明を省略する。
【００４６】
制御部２０の処理としては、ＧＰＳレシーバ１４等から入力される信号に基づいて自車位置を算出する自車位置算出処理、ＨＤＤ１５から自車位置周辺の地図データを読み出して自車位置周辺の地図上に自車位置マークを重ねて表示する地図表示処理、ＤＶＤ−ＲＯＭに記憶されたＤＶＤビデオを読み出して再生するビデオ再生処理等がある。
【００４７】
また、制御部２０は、詳しくは後述するが、タッチ入力制御部１２から座標値が入力されると、入力された座標値に基づいてタッチ操作を行ったのが、運転手であるか否かの判定処理を行う。
【００４８】
次に、タッチ操作が行われたときの制御部２０の処理について説明する。図５は、制御部２０の処理を示すフローチャートである。制御部２０は、イグニッションスイッチまたはアクセサリスイッチがオンされてバッテリから電源が供給されると、自動位置算出処理、地図表示処理等の処理と平行して、タッチパネル１１へのタッチ操作に関する処理内容を開始する。なお、以下では、表示部１０がデュアルビュー表示している状態として説明する。
【００４９】
図５に示されるように、ステップ１００では、タッチパネル１１に対してタッチ操作があったか否かを判定する。具体的には、タッチ入力制御部１２から座標値の入力があったか否かを判定することにより、タッチ操作があったか否かを判定する。そして、座標値の入力がされた場合にはタッチ操作があったと判定してステップ１１０へ進み、座標値の入力がされていない場合には、タッチ操作がされていないと判定し、タッチ操作があるまで繰りかえしこの判定ステップを行う。
【００５０】
ステップ１１０では、入力された座標値から、表示部１０のどの部分に表示されたメニューボタンに対してタッチ操作が行われたのかを特定し、ステップ１２０へ進む。例えば、図２に示されるように、助手席者がメニューボタン１０ｄをタッチ操作する、または、運転手がメニューボタン１０ｉをタッチ操作したとすると、表示部１０がデュアルビュー表示を行っているため、メニューボタン１０ｄ、１０ｉのいずれかにタッチ操作がされたと特定する。
【００５１】
続いて、ステップ１２０では、まず、入力された座標値から二つの座標値を選択する。本実施形態では、タッチパネル１１にユーザの指先が最初に接触した接触面の中心点（Ａ点）の座標値を第１座標値とし、入力された座標値のうち第１座標値から最も離れた点（Ｅ点）の座標値を第２座標値として選択するようになっている。そして、第１、第２座標値を選択した後、第１、第２座標値を結ぶ直線の傾きを演算すると共に、第２座標値のｘ座標が第１座標値のｘ座標より大きいか否かを判定することにより第２座標値の方向を特定し、ステップ１３０へ進む。本実施形態では、第２座標値のｘ座標が第１座標値のｘ座標より大きい場合に方向を「正」とし、第２座標値のｘ座標が第１座標値のｘ座標より小さい場合に方向を「負」として、第２座標値の方向を特定している。例えば、図４（ａ）に示されるように、助手席者がタッチ操作を行った場合には第２座標値のｘ座標は第１座標値のｘ座標より小さくなるため、方向は負であると特定する。
【００５２】
その後、ステップ１３０では、ステップ１１０で特定したメニューボタンに対応する設定値を内部メモリから読み出し、ステップ１２０で演算した傾きおよび特定した方向が設定値の範囲内にあるか否かを判定する。例えば、表示部１０がデュアルビュー表示を行っており、ステップ１１０にて、タッチ操作が行われたのがメニューボタン１０ｄ、１０ｉのいずれかであると特定した場合には、メニューボタン１０ｄの設定値「傾きａ〜ｂ、方向負」、およびメニューボタン１０ｉの設定値「傾き−ｃ〜−ｄ、方向正」を読み出す。そして、例えば、演算した傾きがｅ（ａ＜ｅ＜ｂ）、第２座標値の方向が負である場合には、設定値「傾きａ〜ｂ、方向負」の範囲内であるため、ステップ１４０へ進む。なお、このステップ１３０では、演算した傾きおよび特定した方向が設定値の範囲内にある場合には、同時に、メニューボタン１０ｄ、１０ｉのどちらがタッチ操作されたのかも特定される。上記のように、演算した傾きがｅ（ａ＜ｅ＜ｂ）であり、特定した方向が負である場合には、メニューボタン１０ｄの設定値の範囲内であるため、タッチ操作が左側画面に対して行われた特定される。言い換えると、助手席者がタッチ操作を行ったと特定される。また、演算した傾きおよび特定した方向が設定値の範囲外であると判定した場合、例えば、「傾きｇ（ｂ＜ｇ）」であったり、「傾きｅ（ａ＜ｅ＜ｂ）、方向正」である場合には、ステップ１００へ戻る。
【００５３】
ステップ１４０では、ステップ１３０で傾きおよび方向が設定値の範囲内にあるときには、タッチ操作が左側画面と右側画面のどちらの画面に対して行われたのかが特定される、つまり、タッチ操作を行ったのが運転手であるのか助手席者であるのかが特定されるので、その特定結果に基づき、タッチ操作者が運転手である場合には、ステップ１５０へ進む。そして、ステップ１５０にて、運転手の画面内容に含まれるメニューボタンの内容に対応した制御を実行し、次のタッチ操作に備えるべく、再びステップ１００からの処理に戻る。また、ステップ１５０でタッチ操作者が運転手でないと判定した場合には、操作者は助手席者であるため、ステップ１６０に進み、助手席者の画面内容に含まれるメニューボタンの内容に対応した制御を実行し、次のタッチ操作に備えるべく、再びステップ１００からの処理に戻る。
【００５４】
なお、本実施形態では、タッチ入力制御部１２が本発明の座標値演算手段に相当し、ステップ１２０が傾き演算手段に相当し、ステップ１３０およびステップ１４０が判定手段に相当する。
【００５５】
このような表示装置では、タッチパネル１１から出力された検出信号から第１、第２座標値を演算し、これら座標値を結ぶ直線の傾きを演算すると共に第２座標値の方向を特定し、当該傾きと方向からタッチパネル１１に対してタッチ操作を行ったのが運転手であるか否かを判定している。
【００５６】
このため、デュアルビュー表示をする場合には、左側画面（助手席者画面）に表示されるメニューボタン１０ａ〜１０ｅと、右側画面（運転手画面）に表示されるメニューボタン１０ｆ〜１０ｊとを重ねて表示することができ、メニューボタンの配置や数が制限されることを抑制することができる。
【００５７】
また、新たに赤外線センサ等を備えることなく、タッチ操作を行ったのが運転手であるか否かを判定することができるので、部品点数を増加させることもない。
【００５８】
さらに、本実施形態では、第１、第２座標値を結ぶ直線の傾きに加えて、第２座標の方向を特定し、第２座標の方向についても判定するようにしている。これにより、例えば、画面中央下側にメニューボタンが配置されている場合には、運転手がタッチ操作した場合と、助手席者がタッチ操作した場合では、どちらも傾きの値がゼロ付近になるが、第２座標値の方向を判定要素に加えることにより、誤判定を抑制することができる。すなわち、運転手および助手席者がいずれも指先の先端から第１関節に向かって指先をタッチパネル１１に接触させたとすると、運転手がタッチ操作をした場合には第２座標値の方向が正となり、助手席者がタッチ操作をした場合には第２座標値の方向が負となり、第２座標値の方向がそれぞれ逆になる。以上より、第１、第２座標値を結ぶ直線の傾きに加えて、第２座標値の方向を判定することにより、誤作動を抑制することができる。
【００５９】
また、特定したメニューボタンに対応する設定値を内部メモリから読み出し、演算した傾きおよび特定した方向が設定値の範囲内にあるときに、特定したメニューボタンの制御を実行するようにしている。つまり、演算した傾きおよび特定した方向が設定値の範囲外であるときには、特定したメニューボタンの制御を実行しないようにしているので、誤作動を抑制することができる。
【００６０】
（他の実施形態）
上記第１実施形態では、タッチパネル１１に対して、右側に運転手、左側に助手席者が存在する例について説明したが、もちろん、左側に運転手、右側に助手席者が存在するものとすることもできる。
【００６１】
また、上記第１実施形態では、各メニューボタン１０ａ〜１０ｊに設定値が設定されており、傾きおよび方向が設定値の範囲内に存在する場合に、タッチ操作が運転手によるものなのか否かを判定していたが、各メニューボタン１０ａ〜１０ｊに設定値を設定せず、例えば、演算された傾きが正であって、特定した方向が負である場合に助手席者がタッチ操作を行ったと判定し、演算された傾きが負であって、特定した方向が正である場合に運転手がタッチ操作を行ったと判定するようにすることもできる。
【００６２】
さらに、上記第１実施形態では、制御部２０には、各メニューボタン１０ａ〜１０ｊに対する設定値がデフォルト値として設定されている例について説明したが、設定値をユーザが適宜変更できるようにしてもよい。例えば、ユーザの癖によっては、図３中、Ｅ点からＡ点に向かうようにタッチ操作をすることも考えられるので、メニューボタン１０ｄの設定値を「傾きａ〜ｂ、方向正」としたり、メニューボタン１０ｉの設定値を「傾き−ｃ〜−ｄ、方向負」とすることもできる。
【００６３】
また、上記第１実施形態では、制御部２０は演算された傾きと特定された方向に基づいてタッチパネル１１に対して左右のいずれの方向から面接触操作があったのかを判定するようにしたが、例えば、演算された傾きのみを用いてタッチパネル１１に対して左右のいずれの方向から面接触操作があったのかを判定するようにしてもよい。
【００６４】
さらに、上記第１実施形態では、デュアルビュー表示をしているときにタッチ操作があった場合の制御部２０の処理について説明したが、視線方向に関係なく一つの映像を表示する同一映像表示をしている場合に本発明を適用することももちろん可能である。すなわち、例えば、ステップ１４０の前に速度センサ等の信号に基づいて車両走行中であるか否かについて判定をし、車両走行中である場合、ステップ１４０にてタッチ操作を行ったのが運転手であると判定したときにはステップ１５０を行わずにステップ１００へ戻り、ステップ１４０にてタッチ操作を行ったのが運転手でない、つまり助手席者であると判定したときのみ、ステップ１６０にてメニューボタンの内容に対応した制御動作を実行するようにしてもよい。このような表示装置とした場合には、走行中の運転手の安全性を確保しつつ、助手席者はタッチ操作を行うことができる表示装置とすることができる。もちろん、デュアルビュー表示を行っている場合において、車両走行中であるか否かの判定ステップを行うようにすることができることは言うまでもない。
【００６５】
さらに、上記第１実施形態では、タッチ入力制御部１２は、タッチパネル１１から入力された検出信号をそれぞれ座標値に演算する例について説明したが、例えば、ユーザの指先が最初に接触した接触面の中心点（Ａ点）の座標値（最初に入力された検出信号の座標値）と、ユーザの指先が最後に接触した接触面の中心点（Ｅ点）の座標値（最後に入力された検出信号の座標値）のみを演算し、この二つの座標値のみを制御部２０に出力するようにしてもよい。タッチパネル１１に対してタッチ操作があったとき、少なくとも二つの座標値があれば傾きを演算すると共に、方向を特定することができるからである。
【符号の説明】
【００６６】
１０    表示部
１１    タッチパネル
１２    タッチ入力制御部
１３    表示制御部
１４    ＧＰＳレシーバ
１５    ＨＤＤ
１６    マルチディスクドライブ
１７    テレビチューナ
１８    キー入力部
１９    音声処理部
２０    制御部
【図１】
0005615564.tif 000002
【図２】
0005615564.tif 000003
【図３】
0005615564.tif 000004
【図４】
0005615564.tif 000005
【図５】
0005615564.tif 000006